(57)【要約】【課題】  手軽に風水診断を行うことができる撮像装置を提供する。【解決手段】  被写体光を撮像し撮影画像を生成する撮像部１０と、前記撮影画像を撮像した際の撮影方位を検出する方位センサ３２と、前記撮影画像の撮影場所を特定する場所特定部４と、前記撮影画像に含まれる被写体の色を認識すると共に、前記撮影方位、前記被写体の色及び前記撮影場所に基づいて風水診断を行う診断部４とを備える。【選択図】  図１
2013168709.tif 000002
【特許請求の範囲】
【請求項１】
被写体光を撮像し撮影画像を生成する撮像部と、
前記撮影画像を撮像した際の撮影方位を検出する方位センサと、
前記撮影画像の撮影場所を特定する場所特定部と、
前記撮影画像に含まれる被写体の色を認識すると共に、前記撮影方位、前記被写体の色及び前記撮影場所に基づいて風水診断を行う診断部と
を備えることを特徴とする撮像装置。
【請求項２】
前記撮影画像に含まれる被写体を認識することにより前記撮影場所を推定する画像認識部を備えることを特徴とする請求項１記載の撮像装置。
【請求項３】
前記撮影画像を撮像した際の撮影位置を検出する位置検出部と、
前記撮影位置に基づいて前記撮影場所の相対的な位置を特定する位置特定部と
を備えることを特徴とする請求項１または２記載の撮像装置。
【請求項４】
前記外部装置との情報の送受信を行う通信部を備え、
前記診断部は、前記撮影画像を前記通信部を介して前記外部装置に送信させ、前記外部装置から前記通信部を介して前記風水診断の結果を受信させることにより前記風水診断を行うことを特徴とする請求項１〜３の何れか一項に記載の撮像装置。
【請求項５】
前記風水診断を行う診断プログラムを格納する記憶部を備え、
前記診断部は、前記記憶部に格納された前記診断プログラムを用いて前記風水診断を行うことを特徴とする請求項１〜３の何れか一項に記載の撮像装置。
【発明の詳細な説明】
【技術分野】
【０００１】
本発明は、撮像装置に関するものである。
【背景技術】
【０００２】
風水等の占いを行うことができるカーナビゲーションシステムが知られている（例えば、特許文献１参照）。
【先行技術文献】
【特許文献】
【０００３】
【特許文献１】特開平１１−２４８４７０号公報
【発明の概要】
【発明が解決しようとする課題】
【０００４】
しかし、このカーナビゲーションシステムにおける占いの対象は自動車による移動を伴う場合を前提としており、住居や建物等の不動産についての風水診断を行うためには風水診断士等の訪問を受ける必要があった。また、風水診断士に訪問を依頼する場合には、時間的制約や煩わしさがあった。
【０００５】
本発明の目的は、手軽に風水診断を行うことができる撮像装置を提供することである。
【課題を解決するための手段】
【０００６】
本発明に係る撮像装置は、被写体光を撮像し撮影画像を生成する撮像部と、前記撮影画像を撮像した際の撮影方位を検出する方位センサと、前記撮影画像の撮影場所を特定する場所特定部と、前記撮影画像に含まれる被写体の色を認識すると共に、前記撮影方位、前記被写体の色及び前記撮影場所に基づいて風水診断を行う診断部とを備えることを特徴とする。
【発明の効果】
【０００７】
本発明に係る撮像装置によれば、手軽に風水診断を行うことができる。
【図面の簡単な説明】
【０００８】
【図１】本発明の実施の形態に係るカメラのシステム構成を示すブロック図である。
【図２】本発明の実施の形態に係る撮影画像を示す図である。
【発明を実施するための形態】
【０００９】
以下、図面を参照して本発明の実施の形態に係る撮像装置についてカメラを例に説明する。図１は、実施の形態に係るカメラのシステム構成を示すブロック図である。カメラ２は、ＣＰＵ４を備え、ＣＰＵ４には、撮影レンズ６の駆動制御及び撮影レンズ６を介した被写体光を撮像して撮像信号を生成するＣＣＤ或いはＣＭＯＳ等により構成される撮像素子８の制御を行う撮像制御部１０、撮像素子８から出力された撮像信号を図示しないＡ／Ｄ変換部においてＡ／Ｄ変換することにより生成された画像データに、ホワイトバランス調整、輪郭補償、ガンマ補正等の画像処理を行う画像処理部１２、カードスロット１４に着脱可能に構成され画像データや種々のデータを記録するメモリカード１６、ＬＣＤ等により構成され撮影画像等の画像を表示する表示部１８の表示制御を行う表示制御部２０、カメラ２の動作を行うためのプログラム等を記録する内部メモリ２２、レリーズボタン２４、表示部１８に積層して配置されユーザの操作入力を受け付けるタッチパネル２６、無線又は有線によりサーバ等の外部装置との間で情報の送受信を行う通信部２８、ＧＰＳ衛星から受信した信号に基づいて自己位置（緯度、経度等）を測位するＧＰＳ３０、撮影方位を測定するコンパス等の方位センサ３２が接続されている。
【００１０】
次に、実施の形態に係るカメラの風水診断処理について説明する。メニュー操作により風水診断を行う風水診断モードが設定された状態において、レリーズボタン２４を用いたレリーズ指示が行われると、ＣＰＵ４は撮像制御部１０を制御して、撮像素子８により撮像された撮像信号に基づく撮影画像データを取得し、メモリカード１６に記録させる。ここで、ＣＰＵ４は撮像の際に方位センサ３２により測定された撮影方位を取得し、Ｅｘｉｆ形式等の画像ファイルに記録される撮影画像データのメタデータとしてメモリカード１６に記録させる。ここで、ＧＰＳ３０により測定された自己位置を取得し、撮影画像データのメタデータとしてメモリカード１６に記録させるようにしてもよい。
【００１１】
次に、ＣＰＵ４は表示制御部２０を制御して表示部１８に「居室」、「玄関」、「台所」、「洗面所」、「風呂」、「トイレ」等の住居内や建物内における撮影場所を示す選択肢を表示させ、タッチパネル２６を介してユーザの選択を受け付ける。なお、ＣＰＵ４は撮影画像について画像認識を行い優先度の高い選択肢を表示部１８の上部に表示させてもよい。この場合には、例えば台所、玄関、トイレ等の基準画像データを内部メモリ２２またはメモリカード１６に予め記憶させておき、ＣＰＵ４は基準画像データと撮影画像データとをパターンマッチング等により比較する。即ち、基準画像データに基づく基準画像に含まれる特徴点が撮影画像データに基づく撮影画像に含まれるか否かを判定し、ＣＰＵ４は撮影画像に含まれる特徴点の割合が大きいほど優先度が高いと判定する。また、ＣＰＵ４は優先度の最も高い選択肢を撮影場所として決定してもよい。
【００１２】
撮影場所を示す選択肢が選択されると、ＣＰＵ４は選択された選択肢に基づいて撮影画像の撮影場所を撮影画像データのメタデータとしてメモリカード１６に記録させる。
【００１３】
次に、ＣＰＵ４は風水診断プログラムを用いて撮影画像データの風水診断を行う。ここで、風水診断プログラムは内部メモリ２２またはメモリカード１６に記録されている。なお、風水診断プログラムは予め記録されているものであってもよいし、通信部２８を介してダウンロードしたものであってもよく、さらに通信部２８を介して風水診断プログラムの更新プログラムをダウンロード可能な構成であってもよい。
【００１４】
まず、ＣＰＵ４は画像認識を行うことにより撮影画像データに基づく撮影画像に含まれる被写体の色を認識する。次に、ＣＰＵ４は、被写体の色、撮影画像データのメタデータに含まれる撮影方位及び撮影場所に基づいて風水診断を行う。なお、撮影画像データのメタデータにＧＰＳ３０により測定された撮影位置が記録されている場合には、同じ住居内または同じ建物内の他の場所で撮影された画像の撮影位置との相対的な位置関係に基づいて、撮影画像の撮影場所の住居内または建物内における相対的な方角を風水診断に用いてもよい。ＧＰＳ３０により測定された撮影位置に基づく相対的な方角を用いることによってさらに精度の高い風水診断を行うことができる。
【００１５】
次に、ＣＰＵ４は表示制御部２０を制御して、表示部１８に診断結果を表示させる。例えば図２の撮影画像３４の撮影方向は、方位表示３６に示すように西であり、被写体として黄色のランプ３８が含まれている。この場合にはＣＰＵ４は表示部１８に「西に黄色のものがあるためよい」旨を表示させる。なお、図２においては画像認識により黄色を認識したことを示す色認識枠４０を示している。
【００１６】
一方、図２に示す撮影画像において、被写体として黄色のものが含まれていない場合には、ＣＰＵ４は「西に黄色のものを置いた方がよい」旨を表示させる。また、色を要素として含まない診断結果として、撮影画像の撮影方向が北であり、撮影場所が居室である場合には、「北に金庫や通帳等を置いた方がよい」旨を表示させてもよい。
【００１７】
本実施の形態に係るカメラによれば、手軽に風水診断を行うことができる。また、診断士の訪問を受けることによる時間の制約や煩わしさを解消することができる。
【００１８】
なお、上述の実施の形態においては、内部メモリ２２またはメモリカード１６に記録された風水診断プログラムを用いて風水診断を行う構成としたが、通信部２８を介して風水診断プログラムを有するサーバ等の外部装置に対して撮影画像データを送信し、外部装置において得られた診断結果を通信部２８を介して受信する構成としてもよい。この場合には、撮影画像に含まれる被写体の色の認識処理をカメラ２のＣＰＵ４において行ってもよいし、外部装置において行ってもよい。
【００１９】
カメラ２のＣＰＵ４において被写体の色の認識処理を行う場合には、ＣＰＵ４は撮影画像データに基づく撮影画像に含まれる被写体の色を認識し、被写体の色を撮影画像データのメタデータに記録させる。その後、ＣＰＵ４は、通信部２８を介して被写体の色、撮影方位及び撮影場所をメタデータとして含む撮影画像データを外部装置に対して送信する。
【００２０】
また、上述の実施の形態において、撮影画像データ及び撮影画像データのメタデータをメモリカード１６に記録させる構成としたが、内部メモリ２２に記録させる構成としてもよい。
【００２１】
また、上述の実施の形態において、撮影場所の入力をユーザのタッチパネル２６を用いた操作により受け付ける構成としたが、マルチセレクタ等の物理的に設けられたスイッチを用いた操作により受け付ける構成としてもよい。また、カメラ２がマイクロホンを備える場合には、マイクロホンから出力される音声信号に基づく音声データについて音声認識を行い、撮影場所の入力を受け付ける構成としてもよい。
【符号の説明】
【００２２】
２…カメラ、４…ＣＰＵ、８…撮像素子、１６…メモリカード、２２…内部メモリ、２８…通信部、３０…ＧＰＳ、３２…方位センサ
【図１】
2013168709.tif 000003
【図２】
2013168709.tif 000004